(57)【要約】      （修正有）【課題】圧着設置された電機端子を有する電気コネクタを提供する。【解決手段】電気コネクタ２０２は、コネクタハウジング２０４、および、このコネクタハウジングによって支持された少なくとも１つの電気端子２２０を有する。この電気端子は、結合する部分、および設置する部分２２４を画定し、１対の圧着部材２６７を有する設置する部分は、フレックスケーブル２２をその電気端子の設置する部分に設置するように圧着したときに、フレックスケーブル介して貫通するように構成された圧着歯を有する。【選択図】図１
2013016471.tif 000002
【特許請求の範囲】
【請求項１】
フレックスケーブルに設置するように構成された電気コネクタであって、この電気コネクタは：
誘電性のコネクタハウジングであって；
このコネクタハウジングによって支持される少なくとも１つの電気端子であって、この少なくとも１つの電気端子は、結合する部分と設置する部分とを画定し、この設置する部分は、少なくとも１つの電気端子の長さに沿って相互から間隔を置く第１および第２圧着部材を有し、この第１および第２圧着部材のそれぞれは、設置する部分にフレックスケーブルを設置するように圧着するときに、フレックスケーブルを介して貫通するように構成された複数の圧着歯を有し、少なくとも１つの電気端子の第１および第２圧着部材のうちの一方は、第１および第２圧着部材のうちの他方とは異なる数の圧着歯を有する電気コネクタ。
【請求項２】
第１圧着部材の圧着歯は、第１周囲の周りに配置され、さらに、第２圧着部材の圧着歯は、第１周囲と異なる第２周囲の周りに配置される請求項１記載の電気コネクタ。
【請求項３】
第２周囲は、第１周囲と不連続である請求項２記載の電気コネクタ。
【請求項４】
第１および第２周囲は、設置する部分を介して延びるそれぞれの異なる開口の周りに配置される請求項２記載の電気コネクタ。
【請求項５】
第１および第２圧着部材の外方のものは、第１および第２電気端子の選択した複数の第１および第２圧着部材の内方のものより少数の歯を有する請求項１記載の電気コネクタ。
【請求項６】
第１および第２圧着部材の外方のものは、第１および第２圧着部材の内方のものから後方に間隔を置かれる請求項５記載の電気コネクタ。
【請求項７】
少なくとも１つの電気端子は、第１電気端子であり、電気コネクタは、さらに、コネクタハウジングによって支持された第２電気端子を有し、かつ、第２電気端子は、結合する部分および設置する部分を画定し、この設置する部分は、少なくとも１つの電気端子の長さに沿って相互から間隔を置かれる第１および第２圧着部材を有し、第１および第２圧着部材のそれぞれは、設置する部分にフレックスケーブルを設置するように圧着されたときに、フレックスケーブルを介して貫通するように構成される複数の圧着歯を有する請求項１記載の電気コネクタ。
【請求項８】
第２電気端子の第１および第２圧着部材は、等しい数の圧着歯を有する請求項７記載の電気コネクタ。
【請求項９】
第１および第２電気端子は、長手方向に沿うコネクタハウジングに沿って交互に配置される請求項７記載の電気コネクタ。
【請求項１０】
第１電気端子の第１圧着部材は、長手方向に沿う第２電気端子の第１圧着部材と整列されず、かつ、第１電気端子の第１圧着部材は、長手方向に沿う第２電気端子の第２圧着部材と整列されない請求項７記載の電気コネクタ。
【請求項１１】
電気コネクタであって：
誘電性のコネクタハウジングであって；
このコネクタハウジングによって支持された少なくとも１つの第１電気端子、および
長手方向に沿って少なくとも１つの第１電気端子から空間を隔てた位置にコネクタハウジングによって支持された少なくとも１つの第２電気端子であって、それぞれの第１および第２電気端子は、長手方向に対してほぼ垂直である横断方向に沿って結合する部分から空間を隔てたそれぞれの結合する部分および設置する部分を画定し、その設置する部分は、長手方向および横断方向に対してほぼ垂直である横方向に沿って相互から空間を隔てた第１および第２圧着部材を有し、この第１および第２圧着部材のそれぞれは、電気端子の設置する部分にフレックスケーブルを設置するように圧着するときに、フレックスケーブルを介して貫通するように構成された複数の圧着歯を有し、前記第１電気端子の圧着部材は、横方向に沿って、第２電気端子の圧着部材に関して、偏倚される電気コネクタ。
【請求項１２】
第１圧着部材の圧着歯は、それぞれの第１周囲の周りに配置され、かつ、第２圧着部材の圧着歯は、第１周囲と異なるそれぞれの第２周囲の周りに配置される請求項１１記載の電気コネクタ。
【請求項１３】
第２周囲は、第１周囲と不連続である請求項１２記載の電気コネクタ。
【請求項１４】
第１および第２周囲は、それぞれの設置する部分を介して延びる、それぞれの異なる開口の周りに配置される請求項１２記載の電気コネクタ。
【請求項１５】
結合する部分および設置する部分を有する電気端子であって、その設置する部分は、電気端子の長さに沿って、相互から間隔をもって配置された第１および第２圧着部材を有し、第１および第２圧着部材のそれぞれは、設置する部分にフレックスケーブルを設置するように圧着したときに、フレックスケーブルを介して貫通するように構成された複数の圧着歯を有し、第１および第２圧着部材のうちの１つは、第１および第２圧着部材の他とは異なる数の圧着歯を有する電気端子。
【請求項１６】
第１圧着部材の圧着歯は、第１周囲の周りに配置され、かつ、第２圧着部材の圧着歯は、第１周囲と異なる第２周囲の周りに配置される請求項１５記載の電気コネクタ。
【請求項１７】
第２周囲は、第１周囲とは不連続である請求項１６記載の電気コネクタ。
【請求項１８】
第１および第２周囲は、設置する部分を介して延びるそれぞれの異なる開口の周りに配置される請求項１６記載の電気コネクタ。
【請求項１９】
第１および第２圧着部材の外方のものは、第１および第２電気端子の選択した複数の第１および第２圧着部材の内方のものより少数の歯を有する請求項１５記載の電気コネクタ。
【発明の詳細な説明】
【技術分野】
【０００１】
この開示は、電気コネクタに係り、特に、圧着装着（crimp fitting）を有する電気コネクタに関する。
【０００２】
（関連出願の引用）
これは、２０１１年６月１日に出願された米国仮特許出願６１／４９２，３３９の利益を要求するものであり、その開示が、あたかもここにその全体において記述されるかのように、引用によってここに組込まれる。
【０００３】
この出願は、主題によって２０１１年６月１日に出願された米国仮特許出願６１／４９２，３５０と関係があり、さらに、主題によって２０１１年６月１日に出願された米国デザイン特許出願２９／３９３，２７０、２０１１年６月１日に出願された２９／３９３，２７６、２０１１年６月１日に出願された２９／３９３，２８２、２０１１年６月１日に出願された２９／３９３，２６９、２０１１年６月１日に出願された２９／３９３，２７８、２０１１年６月１日に出願された２９／３９３，２８１、および２０１１年６月１日に出願された２９／３９３，２８３と関係がある。
【背景技術】
【０００４】
電気コネクタは、従来から、それぞれ第１および第２の補完的電気装置と関連して電気通信関係に置かれるように構成された、対向して設置する端部（mounting ends）および結合する端部を画定する複数の電気伝導性端子を保持するハウジングを有している。例えば、平坦なフレックスケーブルは、第１電気装置を電気コネクタの設置する端部に接続するために広く使用されている。したがって、電気コネクタが第２電気装置に結合されるときは、第１および第２電気装置は、電気通信関係に置かれる。平坦なフレックスケーブルは、高価な、そして特に、重量級ケーブルハーネス用の置換えとして増加する使用が分かってきている。
【発明の概要】
【０００５】
１つの実施例にしたがって、電気コネクタは、フレックスケーブルに設置するように構成される。電気コネクタは、誘電性のコネクタハウジング、およびコネクタハウジングによって支持された少なくとも１つの電気端子を有することができる。少なくとも１つの電気端子は、結合する部分、および設置する部分を画定することができ、この設置する部分は、少なくとも１つの電気端子の長さに沿って相互から一定間隔で配置された第１および第２圧着部材を有する。第１および第２圧着部材のそれぞれは、設置する部分に対してフレックスケーブルを設置するように圧着されたときに、フレックスケーブルを介して貫通するように構成された複数の圧着歯を有することができる。第１および第２圧着部材のうちの一方は、第１および第２圧着部材の他方とは異なる数の圧着歯を有する。
【０００６】
好ましい実施例の以下の詳細な記述と同様に先の要約も、付属された概略図とともに読まれたときに、一層よく理解される。この発明を例証する目的で、図面は、現在のところ好ましい実施例を示す。しかしながら、この発明は、図面に開示された特定の手段に限定されない。図面の説明は、以下のとおりである：
【図面の簡単な説明】
【０００７】
【図１】電気コネクタ、および、この電気コネクタに電気的に接続されたフレキシブルプリント回路を有し、その電気コネクタは、コネクタハウジング、および、このコネクタハウジングによって支持された複数の電気端子を有する１つの実施例にしたがって構成された電気コネクタ組立体の斜視図である；
【図２Ａ】図２Ａに例証されるようなコネクタハウジングの斜視図である；
【図２Ｂ】図２Ｂに例証されるようなコネクタハウジングの他の斜視図である；
【図２Ｃ】図３Ｂに類似しているコネクタハウジングの斜視図であるが、他の実施例にしたがうリブを示している；
【図３Ａ】１つの実施例にしたがってフレキシブルプリント回路に設置されるように構成された第１方向に電気端子を示して、コネクタハウジングおよび電気的ハウジングによって支持された電気端子を有する図１Ａに例証された電気コネクタの斜視図である；
【図３Ｂ】図２Ａに例証された電気コネクタの他の斜視図である；
【図３Ｃ】図３Ａに例証された電気コネクタの平面図である；
【図３Ｄ】図３Ａに例証されたが、第１方向とは異なる第２方向に電気端子を示す電気コネクタの斜視図であって、フレキシブルプリント回路に設置されるように構成される；
【図３Ｅ】図３Ｄに例証された電気コネクタ組立体の側面図であって、フレキシブルプリント回路に設置されて示される；
【図４Ａ】図２Ａに例証されたコネクタハウジングによって支持されるような１対の電気端子の斜視図である；
【図４Ｂ】図４Ａに例証された１対の電気端子の他の斜視図である；
【図４Ｃ】図４Ａに例証された１対の電気端子の他の側面図である；
【図５Ａ】図２Ａに例証された電気コネクタの斜視図であって、異なる数の圧縮歯を備えた圧縮部材を有する電気端子のうちの１つを示す；
【図５Ｂ】図５Ａに例証された電気コネクタの平面図である；
【図６Ａ】図５Ａに例証された電気コネクタの電気端子のうちの１つの斜視図である；
【図６Ｂ】図６Ａに例証された電気端子の他の斜視図である；
【図６Ｃ】図６Ａに例証された電気端子の平面図である；
【図７】図１に例証された電気コネクタ組立体を有する安全拘束システムを有する車両の一部分の概略図である；
【図８】図７に示される車両安全拘束システムにおいて使用される着座センサ装置の平面図である；
【図９】図８に示される着座センサ装置の一部分の底面図である；
【図１０】単に明瞭さのためにフレキシブルプリント回路を示すことなしに、図８に示される着座センサ装置の一部分の拡大斜視図である；
【図１１】フレキシブルプリント回路マット、フレーム、およびホール効果センサ組立体の接続に先立つ３つの端子の部分的な平面図である；
【図１２】図１０に示されるセンサ組立の第１ハウジング部材の斜視図である；
【図１３】図１２に示される第１ハウジング部材およびホール効果センサを有する図１０に示されるセンサ組立体の第１半組立体の断面図である；
【図１４】切欠断面を備えた図１３に示される第１半組立体の斜視図である；
【図１５】図１０に示されるセンサ組立体に使用される第２ハウジング部材の斜視図である；
【図１６】図１５に示される第２ハウジング部材および永久磁石を有する図１０に示されるセンサ組立体に使用される第２半組立体の断面図である；
【図１７】押圧された位置に向かって移動した第２半組立体を備えた図１０におけるような斜視図である；
【図１８】フレキシブルプリント回路マットに図１０に示されるセンサ組立を接続するために使用される端子のうちの１つの平面図である；
【図１９】図１８に示される端子の側面図であり；
【図２０】線２０−２０に沿って得られた図１９に示される端子の断面図である。
【発明を実施するための形態】
【０００８】
図１Ａを参照して、電気コネクタ組立体２００は、電気コネクタ２０２および平坦フレックスケーブルを有して、さらに電気コネクタ２０２上に設置されるように構成されるフレキシブルプリント回路（ＦＰＣ）２２と呼ばれる。電気コネクタ２０２は、誘電性、または電気絶縁性であるコネクタハウジング２０４を有する。さらに図２Ａ−Ｃに例証されるように、コネクタハウジング２０４は、トップ端部２０６、対向する底端部２０８、前方端部２１０、対向する後方端部２１２、および対向する側面２１４を画定するほぼ長方形のハウジング本体２０５を有する。例えば、トップ端部２０６で、対向した第１および第２ハウジング表面のうちの第１の方は、補完的コネクタと結合するように構成され、さらに、例えば底端部２０８で対向する第２ハウジング表面は、平坦フレックスケーブル２２を固定するように構成される。したがって、コネクタハウジング２０４は、トップ端部２０６に隣接して配置された結合するインターフェース２１６、および底端部２０８に隣接して配置された設置インターフェース２１８を画定する。結合するインターフェース２１６が、効果的に（operatively）第２の補完的電気コネクタと係合するように構成されている一方で、設置インターフェース２１８は、効果的に平坦フレックスケーブル２２と係合するように構成される。コネクタハウジング２０４の前方端部２１０は、図２Ａ−Ｂに例証されるように、リブを設けることができ、または図３Ａ−Ｅに例証されるようにほぼ平坦であることができる。
【０００９】
対向した側面２１４は、第１の、または長手方向Ｌに沿って離れて間隔を置かれ、前方端部、後方端部２１０および２１２は、第２の、または長手方向Ｌに関してほぼ垂直である、第２の、または横方向Ａに沿って離れて間隔を置かれ、さらに、トップ端部および底部端部２０６および２０８は、または横方向Ａおよび長手方向Ｌに関してほぼ垂直である第３の、または横断方向Ｔに沿って離れて間隔を置かれる。例証された実施例にしたがって、横断方向Ｔは、垂直に方向付けられ、さらに、電気コネクタ２０２の方向付けが、使用の間に変わることができることは、認識されるべきであるが、長手方向および横方向ＬおよびＡは、水平に方向付けられる。例証された実施例にしたがって、コネクタハウジング２０４は、長手方向に延びるように、例証される。
【００１０】
コネクタハウジング２０４が、望まれるような任意の適切な実施例にしたがって構成することができることは認識されるべきである。例えば、図２Ｂに例証されるように、コネクタハウジング２０４の底端部２０８は、ほぼ平坦で、かつ、長手方向Ｌおよび横方向Ａによって画定される平面内にある。代りに、図２Ｃに例証されるように、コネクタハウジング２０４の底端部２０８は、長手方向Ｌに沿って相互から一定間隔で配置され、かつ、隣接した凹部２０５によって相互から分離されるリブ２０３を画定することができる。交互のリブ２０３および凹部２０５は、コネクタハウジング２０４の前方端部２１０からコネクタハウジング２０４の後方端部２１２まで横方向に沿って延びることができる。さらに、図２Ａ−Ｂに例証されるように、リブ２０３および凹部２０５は、コネクタハウジング２０４の前方端部２１０の少なくとも一部分、または全部に沿って延びることができる。コネクタハウジング２０４の前方端部２１０の凹部２０５は、コネクタハウジング２０４に設置される電気端子２００の一部分を受けるように、形作られ、寸法どりされる。代りに、コネクタハウジングの前方端部２１０は、図３Ａ−Ｅに例証されるように、ほぼ滑らかであることができる。
【００１１】
今度は図１および３Ａ−４Ｃを参照して、電気コネクタ２０２は、導電性であって、コネクタハウジング２０４によって、保持または支持される複数の電気端子２２０を有する。電気コネクタ２０２は、望まれるような電気端子２２０の任意の数を有することができる。電気端子２２０は、電気コネクタ２０２と結合される補足的な電気部品の補完的な電気端子、および、平坦フレックスケーブル２２に電気的に接続するように構成される対向された設置する部分２２４を電気的に、例えば、移動可能に電気的に接続するように構成される結合する部分２２２を、それぞれ画定する。その結合する部分２２２は、結合するインターフェース２１６に隣接して配置され、さらに、対向された設置する部分２２４は、設置インターフェース２１８に隣接して配置される。特に、結合する部分２２２は、トップ端部２０６に沿ってほぼ横方向Ａに延びて、トップ端部２０６から外方に延びることができ、さらに、電気端子２２０がコネクタハウジング２０４に完全に搭載されるときに、電気端子２２０の設置する部分２２４は、底端部２０８に沿ってほぼ横方向Ａに延びる。
【００１２】
電気端子２２０のそれぞれは、バッテリ端子として構成されることができ、かつ、結合する部分２２２および設置する部分２２４を画定する端子本体、および、結合する部分２２２と設置する部分２２４との間を接続している中間部分２５０を有することができる。例証された実施例にしたがって、結合する部分２２２、設置する部分２２４、および中間部分２５０は、相互に一体化される。さらに、例証された実施例にしたがって、電気端子２２０がコネクタハウジングに完全に搭載されるときに、結合する部分２２２および設置する部分２２４は、結合する部分２２２および設置する部分２２４が横断方向Ｔに整列されるように、後方のような同一の方向に沿う中間部分２５０のそれぞれの第１および第２の一定間隔で配置された位置からそれぞれ延びる。したがって、横断方向Ｔにおいて延びる線は、結合する部分２２２および設置する部分２２４の両方を通過することができる。結合する部分２２２は、中間部分のトップ端部２５０ａから延びて、かつ片持ち支持され、さらに、設置する部分２２４は、中間部分２５０の対向された底端部２５０ｂから延びて、片持ち支持される。結合する部分２２２は、結合する部分２２２が圧縮状態におかれ、それによって、結合する部分２２２を補完的な電気端子に確実に結合するように、ほぼフック形として例証される接点部分２５６を画定し、さらに、補完的な電気端子との機械的、電気的接触にもたらすことができる接触面を画定する。
【００１３】
設置する部分２２４は、中間部分２５０に関して垂直のような角度的に偏倚した方向に中間部分２５０の底端部２５０ｂに関して横方向後方に延びるほぼ平坦な設置板２６２として構成することができる、設置する部材を有することができる。例証されるように、設置板２６２は、中間部分２５０に関してほぼ垂直の方向に沿って、水平面内にほぼ平坦に延びることができる。設置板２６２は、電気端子２２０の残りの部分より大きな横方向の厚さを有することができ、または、電気端子２２０の残りの部分に関してほぼ一定の厚さを有することができる。
【００１４】
電気端子２２０の全てまでの少なくとも１の設置する部分２２４は、さらに、電気端子の長さに沿って、例えば横方向Ａに沿って、相互から一定間隔で配置され、かつ、設置板２６２によって支持される１対の圧着部材２６７ａおよび２６７ｂのような、少なくとも１つの圧着部材２６７を有することができる。特に、それぞれ、圧着部材２６７は、設置する部分２２４から、例証された実施例にしたがう先細りの遠位端２６８ａまで下方のように外方に延びる複数の圧着歯２６８を有する。例えば、それぞれの圧着歯２６８は、設置板２６２に取付いている基礎２６８ｂ、および横断方向Ｔに沿って基礎２６８ｂから一定間隔を置かれる遠位端２６８ａを画定することができる。したがって、それぞれ、圧着部材２６７は、結合する部分２２２が設置する部分２２４から一定間隔で配置される方向とほぼ平行である方向に沿って設置板２６２から延びることができる。
【００１５】
電気端子２２０は、第１方向に沿ってコネクタハウジング２０４のトップ端部２０６によって画定された表面のような第１ハウジング表面から外方に面するそれぞれの結合する部分２２２を画定し、さらに、圧着歯２６８は、第１方向から角度的にずれる第２方向に沿ってコネクタハウジング２０４の底端部２０６によって画定された表面のような第２ハウジング表面から外方に面する。例えば、第２方向は、第１方向と対向することができ、または、その代りに、第１方向にほぼ垂直であることができる。電気端子２２０は、第１表面から外方に面するそれぞれの結合部分２２２を画定し、かつ、圧着歯２６８は、第２表面から外方に面する。したがって、圧着歯２６８は、それぞれの結合する部分２２２から離れる方向に沿って設置板２６２から延びることができ、それは、遠位端２６８ａが、基礎２６８ｂよりも結合する部分２２２からさらに遠くに配置されるようなものである。しかしながら、認識されるべきことは、圧着歯２６８は、代りに、内方に面していることができ、かつ、したがって、結合する部分に向かう方向に沿って設置板２６２から延びることができることであり、それは、２０１１年９月７日に出願された米国特許出願１３／２２６，８６４に記述されるように、その開示は、引用によってあたかもその全体にここに記述されるかのように、ここに組込まれるものであり、それは、遠心端２６８ａが、基礎２６８ｂよりも結合する部分２２２により接近して配置されるようなものである。さらに、電気端子２２０は、第１および第２対向面、例えば、電気端子２２０の結合する部分２２２に配置された対向した面の一方、および、電気端子２２０の設置する部分２２４に配置された対向した面の他方を画定する。対向した面の第１の表面、例えば結合する部分２２２で、補完的コネクタと結合するように構成され、かつ、例えば、設置する部分２２４で、第１表面と対向して面する対向した第２の表面は、平担なフレックスケーブル２２を固定するように構成される。
【００１６】
例証されるように、圧着歯２６８は、それぞれの圧着部材で設置板２６２を介して横断方向に延びる開口２７０を画定するように、型押しするか、または、そうでなければ設置板２６２からカットすることができる。代りに、圧着歯２６８は、個別に（例えば、溶接されて）設置板２６２に取付けることができる。圧着部材２６７は、横断方向Ｔに沿って設置板２６２を介して延びる開口２７０の周囲に関して相互から等距離で間隔を置かれる４本の圧着歯２６８を有することができる。それぞれの圧着部材２６７の圧着歯２６８は、それぞれの圧着部材２６７が、任意の数のローブであって、例証された実施例にしたがって圧着歯２６８のうちの１つによって画定されたそれぞれのローブを有する星の形状に似ているような、周囲、例えば開口２７０の周り、または、他の湾曲面に関して配置することができる。しかしながら、認識されるべきことは、それぞれの圧着部材２６７が、それぞれ相互から等距離に、または多様に間隔を置かれる複数の圧着歯２６８のような、少なくとも１つの圧着歯を有することができることである。それぞれの圧着部材２６７の圧着歯２６８は、相互から、または任意の適切な代りの配置で周辺に間隔を置くことができる。
【００１７】
動作中に、電気端子２２０の全てまでの電気端子２２０の少なくとも１つは、結合する部分２２２の接触面にほぼ垂直な方向性の成分を有するスプリング力を供与するように構成することができる。例えば、結合する部分２２２の接触面は、結合する部分２２２が、圧縮状態に置かれ、それによって補完的な電気端子に対して結合する部分２２２を確実に結合するように、補完的な電気端子と機械的および電気的接触をもたらすことができる。例えば、結合する部分２２２の接触面が、設置する部分２２４に向かって横断方向Ｔにおいて（例えば、補完的な電気端子によって加えられた）力を受けるときに、電気端子２２０の少なくとも一部分は、設置する部分２２４に向かって横断方向Ｔに沿って圧縮するように屈曲する。
【００１８】
設置する部分２２４は、平坦フレックスケーブル２２上に圧着歯２６８を圧着し、それによって、平坦フレックスケーブル２２を貫通する電気的な跡（trace）と電気通信関係に電気端子２２０を置くことによって、平担フレックスケーブル２２に電気的に接続することができる。例えば、平坦フレックスケーブル２２は、圧着歯２６８が、平坦フレックスケーブルを貫通するように、コネクタハウジング２０４の底端部２０８に対して置くことができる。次に、圧着部材２６７は、ダイであって、圧着歯２６８に対してもたらされるものによって押し型で押すことができ、先細りの遠方端２６８ａが、平坦フレックスケーブル２２を貫通するように、第１方向にほぼ対向する第２方向に沿って圧着歯２６８を折り重ならせる。したがって、圧着部材２６７の少なくとも１つの圧着歯２６８は、電気端子２２０を図１に例証されるような平坦フレックスケーブル２２に電気的に接続するようにそれを貫通する電気的な跡と接触する。したがって、圧着歯２６８は、型押しの力の下で折り重なるように、柔軟であることができる。型押し動作は、望まれるように、圧着歯２６８に、外方、または内方に折り重ねさせることができる。したがって、そのダイが、圧着歯２６８と接触させられるので、コネクタハウジング２０４の底端部２０８は、型押し動作を支援するマンドレルを提供する。
【００１９】
図３Ａ−Ｃを参照して、設置する部分２２４、および、したがって設置板２６２は、型押し動作中にコネクタハウジング２０４から外方に延びることができ、それは、圧着歯２６８に対向する電気端子２２０の表面が、第１ダイのような支持台に対して支えるようなものである。例えば、設置板２６２は、コネクタハウジング２０４のトップ端部２０６にほぼ平行な、または、これと同一平面の方向に沿ってコネクタハウジング２０４の天井端部２０６から外方に延びることができ、さらに、したがって横方向Ａおよび長手方向Ｌによって画定される第１平面内に延びる。代りに、設置板２６２は、図３Ｄ−Ｅにおいて例証されるようなトップ端部２０６に関して角度的に偏倚した方向に沿って延びることができ、さらに、したがって第１平面とは異なる第２平面内に延びる。平坦フレックスケーブル２２は、圧着歯２６８に隣接して、例えば、先細りの遠方端２６８ａに隣接して置くことができ、さらに、圧着歯２６８が、平坦フレックスケーブル２２を貫通し、かつ平坦フレックスケーブル２２を介して延びるような圧着歯２６８に対してもたらすことができる。第２ダイは、圧着歯２６８に隣接して位置することができ、それは、平坦フレックスケーブル２２および設置する部分２２４が、第１および第２ダイの間に配置されるようなものである。第１および第２ダイは、その後、圧着歯２６８が平坦フレックスケーブル２２を貫通した後、相互に向かってもたらすことができ、それによって、先細りの遠方端２６８ａが、平坦フレックスケーブル２２に埋め込まれるように、圧着歯２６８を平坦フレックスケーブル２２の方へ折り重ならせる。代りに、圧着歯２６８は、平坦フレックスケーブル２２を貫通することができ、さらに、設置板２６２は、コネクタハウジングに対して位置することができ、かつ、型押し動作中にコネクタハウジング２０４に印加された圧着力を減少するために、圧着力は、圧着歯２６８およびコネクタハウジング２０４に印加されるので、コネクタハウジング２０４をコネクタハウジング２０４の本来の姿に対して構造用支持台を提供するように望まれるような圧着部材２６７でコネクタハウジング２０４の内部表面を支持することができる補強ツールのように、板状、または任意の適切な構造によってで強化することができる。望まれるように圧着されなかったときに、圧着歯２６８は、任意の高さを有することができ、認識されることは、圧着歯２６８の高さが増加するので、圧着歯２６８は、コネクタハウジング２０４に対して印加される減少された型押し力の下で、平坦フレックスケーブル２２に対して圧着することができることである。
【００２０】
平坦フレックスケーブル２２に対して圧着歯２６８を圧着することは、電気端子２２０が、平坦フレックスケーブル２２と、電気通信関係に、電気端子２２０のうちの結合する部分２２２に結合される補完的な電気装置を置かせる。平坦フレックスケーブル２２は、端子の設置する部分２２４上に設置される第１端、および、センサ、またはプロセッサのような補完的な電気装置に電気的に接続される、対向される対向する第２端を、このように画定することができる。したがって、平坦フレックスケーブル２２は、電気端子２２０の設置する部分２２４と電気通信関係にプロセッサを置くことができ、さらに、結合する部分２２２は、電気的にセンサに接続することができる。反対に、平坦フレックスケーブル２２は、電気端子２２０の設置する部分２２４と電気通信関係にセンサを置くことができ、さらに、結合する部分２２２は、プロセッサに電気的に接続することができる。電気コネクタ２０２が、製造可能性の容易さに備える間に、コンパクト設計を有することを可能にする間に、圧着部材２６７が、補完的な電気装置に対する柔軟な接続を確実にすることができることは、認識されるべきである。
【００２１】
図４Ａ−Ｃを参照して、電気端子２２０は、さらに、外方に、例えば、電気端子２２０が、内側の圧着部材２６７ａから一定間隔で配置されたコネクタハウジング２０４に完全に搭載されるときに、後方、である第１の、または内側の圧着部材２６７ａ、および、第２の、または外部の圧着部材２６７ｂのように、設置する部分２２４における少なくとも１つの圧着部材２６７を有する。第１圧着部材２６７ａの圧着歯２６８は、第１の周囲であって、第１開口２７０の周囲であることができるものに関して配置することができ、さらに、第２圧着部材の圧着歯２６８は、第１の周囲と異なる第２の周囲に関して配置することができる。例えば、第２周囲は、第１周囲と不連続であることができる。例証された実施例にしたがって、第２周囲は、第１圧着部材２６７ａの開口２７０と異なる開口２７０の周囲であることができる。さらに、第１および第２周囲は、ほぼ、円形であるか、または代りに形作ることができる。電気端子２２０は、1つ、またはそれ以上の対２６９の電気端子２２０で配置することができる。各対は、電気端子２２０の第１電気端子２２０ａ、および第１端子に隣接する電気端子２２０の第２電気端子２２０ｂを有することができる。したがって、電気コネクタ２０２は、少なくとも１つの第１電気端子の２２０ａ、および少なくとも１つの電気端子２２０ｂを画定することができる。
【００２２】
第１および第２電気端子、２２０ａおよび２２０ｂは、交互に、長手方向Ｌにおいてコネクタハウジング２０４に沿って配置することができる。したがって、第１電気端子２２０ａは、隣接して配置され、かつ、第２電気端子２２０ｂ間に配置することができ、さらに第２電気端子２２０ｂは、隣接して配置され、かつ第１電気端子２２０ａ間に配置することができる。第１電気端子２２０ａのそれぞれの第１圧着部材２６７ａは、その長手方向Ｌに沿って整列することができ、さらに、第１電気端子２２０ａのそれぞれの第２圧着部材２６７ｂは、長手方向Ｌに沿って整列することができる。したがって、長手方向Ｌ内に延びる直線は、ほぼ、第１電気端子２２０ａの第１圧着部材２６７ａの中心を通過することができ、かつ、長手方向Ｌ内に延びる直線が、ほぼ、第１電気端子２２０ａの第２圧着部材２６７ｂの中心を通過すことができる。同様に、第２電気端子２２０ｂのそれぞれの第１圧着部材２６７ａは、長手方向Ｌに沿って整列され、かつ、第２電気端子２２０ｂのそれぞれの第２圧着部材２６７ｂは、長手方向Ｌに沿って整列される。長手方向Ｌ内に延びる直線は、ほぼ、第２電気端子２２０ｂの第１圧着部材２６７ｂの中心を通過し、かつ、長手方向Ｌ内に延びる直線は、ほぼ、第２電気端子２２０ｂの第２圧着部材の中心を通過することができる。
【００２３】
例証された実施例にしたがって、第１電気端子２２０ａのそれぞれの第１圧着部材２６７ａは、第２電気端子２２０ｂの第１および第２圧着部材２６７ａおよび２６７ｂに関して横方向Ａに沿って偏倚される。したがって、第１電気端子２２０ａのそれぞれの第１圧着部材２６７ａは、第２端子２６７ｂのそれぞれの第１圧着部材２６７ａと、長手方向Ｌに沿って整列されず、かつ、第１電気端子２２０ａのそれぞれの第１圧着部材２６７ａは、第２電気端子２２０ｂのそれぞれの第２圧着部材２６７ｂと、長手方向に沿って整列されない。したがって、長手方向Ｌに沿って延び、かつ、第１電気端子２２０ａの第１圧着部材２６７ａの中心を通過する直線は、第２電気端子２２０ｂの第２圧着部材２６７ａおよび２６７ｂのいずれか一方または両方の中心を通過しない。同様に、第１電気端子２２０ａのそれぞれの第２圧着部材２６７ｂは、横方向Ａに沿った第２電気端子２２０ｂのそれぞれの第１および第２圧着部材２６７ａおよび２６７ｂに関して、偏倚される。したがって、長手方向Ｌ内に延び、かつ、第１電気端子２２０ａの第２圧着部材２６７ｂの中心を通過する直線は、第２電気端子２２０ｂの第２第２圧着部材２６７ａおよび２６７ｂのいずれか一方、または両方の中心を通過しない。
【００２４】
同様に、第２電気端子２２０ｂのそれぞれの第１圧着部材２６７ａは、第１電気端子２２０ａのそれぞれの第１および第２圧着部材２６７ａおよび２６７ｂに関して横方向Ａに沿って偏倚される。したがって、第２電気端子２２０ｂのそれぞれの第１圧着部材２６７ａは、第１電気端子２２０ａのそれぞれの第１圧着部材２６７ａと長手方向Ｌに沿って整列しない。第２電気端子２２０ｂのそれぞれの第１圧着部材２６７ａは、さらに、第１電気端子２２０ａのそれぞれの第２圧着部材２６７ｂと長手方向Ｌに沿って整列されない。したがって、長手方向Ｌに沿って延び、かつ、第２電気端子２２０ｂの第１圧着部材２６７ａの中心を通過する直線は、第１電気端子２２０ａの第１または第２圧着部材２６７ａおよび２６７ｂのいずれか一方、または両方の中心を通過しない。同様に、第２電気端子２２０ｂのそれぞれの第２圧着部材２６７ｂは、横方向Ａに沿った第１電気端子２２０ａのそれぞれの第１および第２圧着部材２６７ａおよび２６７ｂに関して偏倚される。したがって、長手方向Ｌ内に延び、かつ、第２電気端子２２０ｂの第２圧着部材２６７ｂの中心を通過する直線は、第１電気端子２２０ａの第１または第２圧着部材２６７ａおよび２６７ｂのいずれか一方、または両方の中心を通過しない。
【００２５】
第１電気端子２２０ａの第１および第２圧着部材２６７ａおよび２６７ｂが、第２電気端子２２０ｂの第１および第２圧着部材２６７ａおよび２６７ｂに関して、横方向外方に配置することは認識されるべきであるが、第２電気端子２２０ｂの第１および第２圧着部材２６７ａおよび２６７ｂは、第１電気端子２２０ａの第１および第２圧着部材２６７ａおよび２６７ｂのそれぞれに関して、横方向外方に配置することができる。
【００２６】
それぞれの圧着部材２６７は、上述した方法で平坦フレックスケーブル２２を固定するように構成される複数の外方に延びる電気的に伝導性の圧着歯２６８を有する。例えば、第１および第２圧着部材２６７ａおよび２６７ｂのうちの一方は、第１および第２圧着部材の他方が平坦フレックスケーブル２２に電気的に接続される圧着部材用の負荷軽減を提供するように構成されている一方で、平坦フレックスケーブル２２の電気的な跡に電気的に接続するように構成される。平坦フレックスケーブル２２に電気的に接続される第１圧着部材２６７ａの圧着歯２６８が、加えられた引張力によって平坦フレックスケーブル２２との電気接続から偏倚されない間に、例えば、第２圧着部材２６７ｂの圧着歯２６８は、ＦＰＣに加えられた後方に指向された引張力の大部分が、第２圧着部材の圧着歯に伝達されるように、平坦フレックスケーブル２２を係合することができる。電気端子２２０が、平坦フレックスケーブル２２に電気的に接続されるときに、平坦フレックスケーブル２２が、第２圧着部材２６７ｂに対して第１圧着部材２６７ａから後方の方向に沿って延びて、さらに、第２圧着部材２６７ｂとコネクタハウジング２０４の後端２１２との間の距離より大きな長さを画定することは、認識されるべきである。
【００２７】
図１−４Ｃに例証された実施例にしたがって、第１および第２電気端子２２０ａおよび２２０ｂのそれぞれの第１および第２圧着部材２６７ａおよび２６７ｂのそれぞれは、圧着歯２６８の同数を有することができる。
【００２８】
今度は、図５Ａ−６Ｃを参照して、認識されるべきことは、１つの、（第１および第２電気端子２２０ａおよび２２０ｂのうちの、すべてまでの複数のように、選択される少なくとも１つの、第１および第２圧着部材２６７ａおよび２６７ｂの一方は、第１および第２圧着部材２６７ａおよび２６７ｂの他方とは異なる数の圧着歯２６８を有することができる。例えば、例証された実施例にしたがって、第２電気端子２２０ｂの第２圧着部材２６７ｂは、第２電気端子２２０ｂの第１圧着部材２６７ａの圧着歯２６８の数に関して、より少数の、またはより多い歯２６８のように、異なる数を有することができる。さらに、第１電気端子２２０ａの第１および第２圧着部材２６７ａおよび２６７ｂのうちの一方は、第１電気端子２２０ａの第１および第２圧着部材２６７ａおよび２６７ｂの他方として歯の同数を有することができる。第１電気端子２２０ａの第１および第２圧着部材２６７ａおよび２６７ｂは、第２電気端子２２０ａの第２圧着部材２６７ｂと同数の歯を、または異なる数の歯を有することができる。
【００２９】
例証された実施例にしたがって、第２電気端子２２０ｂのそれぞれの第１圧着部材２６７ａは、４つの圧着歯２６８を有し、かつ、第２電気端子２２０ｂのそれぞれの第２圧着部材２６７ｂは、３つの圧着歯２６８を有し、さらに、圧着歯の数が異なることができることは認識されるべきであるが、第１電気端子２２０ａの第１および第２圧着部材２６７ａおよび２６７ｂは、それぞれ、４つの圧着歯２６８を有する。したがって、１つの実施例にしたがって、電気端子２２０と平坦フレックスケーブル２２との間の電気的なインターフェース用の負荷軽減を提供する圧着部材２６７は、平坦フレックスケーブル２２の電気的な跡と電気的接触にある圧着部材２６７より少数の歯数を画定することができる。代りに、電気端子２２０と平坦フレックスケーブル２２との間の電気的なインターフェースの負荷軽減を提供する圧着部材２６７は、平坦フレックスケーブル２２の電気的な跡と電気接触を確立する圧着部材２６７より大きな数の歯を定義することができる。認識されるべきことは、圧着部材のうちの一方が、また圧着部材の他方用の負荷軽減を提供する間に、両方の圧着部材２６７が、平坦フレックスケーブル２２の電気的な跡をと電気接触を確立することができることである。さらに、例証された実施例にしたがって、第２圧着部材２６７ｂの圧着歯２６８は、開口２７０について相互から可変に間隔を置かれるように講成することができる。例えば、第２圧着部材２６８の圧着歯２６８は、長手方向に沿って相互から一定間隔で配置される１対の圧着歯２６８を、さらには、対の圧着歯２６８の１つの間に配置されるギャップ２７１から横方向に沿って前方に間隔を置かれる圧着歯２６８のうちの１つ画定する。
【００３０】
さらに、認識されるべきことは、第１電気端子２２０ａの第１圧着部材２６７ａは、長手方向Ｌに沿う第２電気端子２２０ｂの第１圧着部材２６７ａと整列することができ、さらに、第１電気端子２２０ａの第２圧着部材２６７ｂは、望まれるように、長手方向Ｌに沿う第２電気端子２２０ｂの第２圧着部材２６７ｂと整列することができることである。
【００３１】
図７を参照して、この発明の特徴を組込む安全拘束システム１２を有する車両１０の部分の概略図が示される。この発明は、図面に示される代表的な実施例に関して記述されるが、この発明が、多くの実施例の代りの形態において具体化することができることは理解されるに違いない。さらに、部品、または材料のあらゆる適切な寸法、形状、またはタイプを使用することができる。
【００３２】
同様の安全拘束システムは、米国特許６，１２９，１６８、および６，９３２，３８２であって、それぞれの開示は、その全体の引用によってここに組み込まれる。安全拘束システム１２は、一般に、コントローラ１４、エアバッグ１６、１７、および座席１８に配置された着座センサ装置２０を有する。図示された実施例において、エアバッグ１６は、ハンドル設置エアバッグである。エアバッグ１７は、シートベルト設置エアバッグである。コントローラ１４は、例えば、乗客側ダッシュボード設置エアバッグ、および側面設置エアバッグのような車両１０内の他のエアバッグに接続することができる。コントローラ１４は、それらの配備をコントロールするためにエアバッグ１６、１７に接続される。コントローラ１４は、また、この技術分野で一般に知られているように車両に関して位置した様々なセンサに接続される。
【００３３】
コントローラ１４に接続されたセンサのうちの１つは、座席１８に配置された着座センサ装置２０である。図示された実施例において、着座センサ装置２０は、運転席において示されている。１つまたはそれ以上の追加の着座センサ装置が、１つまたはそれ以上の乗客席に配置することができる。着座センサ装置２０は、座席に座っている人のサイズおよび位置を決定するようにされる。着座センサ装置２０によって感知された情報は、コントローラ１４に送信され、そのコントローラが、エアバッグ１６、１７が、事故の場合に展開されるべきであるかどうか、および／または、どのくらいの力であるべきかを決定する。
【００３４】
今度はまた図８−１０を参照して、着座センサ装置２０は、一般に、フレキシブルプリント回路（ＦＰＣ）２２、フレーム２４、および複数のホール効果センサ組立体２６を有する。コントローラ１４は、上述したような平坦フレックスケーブル２２に設置された電気コネクタ２０２、および電気コネクタ２０２に結合された補完的な電気装置を有することができ、様々なセンサから信号を受けてエアバッグ１６、１７は、展開するべきであるかどうか、および／または、どのくらいの力ですべきかを決定するプロセッサを有することができる。図８において最もよく見られるように、フレキシブルプリント回路２２は、マットの一般的な形状において提供される。ＦＰＣマット２２は、接触区域３０を備えた接続尾部２８を有する。電気導体３２は、ＦＰＣマット２２を介して延び、さらに電気絶縁によってカバーされる。フレーム２４は、一般に成型されたプラスチックで構成される。フレーム２４は、ＦＰＣマット２２用の支持を設ける。フレーム２４は、ＦＰＣマット２２の底部側に対して配置される。図１１に示されるように、フレーム２４は、スナップロックラッチが、ＦＰＣマットのトップ側に配置されるように、ＦＰＣマット２２における穴を通って延びるスナップロックラッチ３４を有する。スナップロックラッチ３４のそれぞれの対向する対は、ＦＰＣマット２２のトップ側のその間に受取り領域３６を形成する。図９に最もよく示されるように、フレーム２４は、支持格子区域４０によって相互に接続された支持区域３８を有する。支持区域３８は、一般的な平坦なディスク形状を有する。スナップロックラッチ３４は、支持区域３８のトップ側から延びる。したがって、支持区域３８は、スナップロックラッチ３４の対のそれぞれの間に、フレーム２４のトップ側におけるほぼ平坦な面４２を設ける。
【００３５】
今度は特に図１０を参照して、フレーム２４の一部分は、それに取付けられたホール効果センサ組立体２６のうちの１つによって示されている。図１０は、単に明瞭さのためにＦＰＣマット２２を示すことなく、着座センサ装置を示している。ＦＰＣマット２２は、平坦面４２とホール効果センサ組立体２６の底部側との間に配置される。このＦＰＣマットは、センサ組立体２６の底部側と平坦面４２との間に、ほぼ挟まれる。ホール効果センサ組立体２６は、一般に、ハウジング４４、ホール効果センサ４６、磁石４８、およびスプリング５０を有する。図示された実施例において、着座センサ装置２０は、１６個のホール効果センサ組立体２６を有する（図８参照）。しかしながら、代りの実施例においては、着座センサ装置は、１６個より多いか、または少ないホール効果センサ組立体を有することができる。さらに、ホール効果センサ組立体は、ＦＰＣマット２２上に任意の適切なタイプのアレイ内に位置することができる。
【００３６】
また、図１２−１６を参照して、ハウジング４４は、一般に第１ハウジング部材５２および第２ハウジング部材５４を有する。第１ハウジング部材５２は、好ましくは、成型したプラスチック、またはポリマー材料から構成される。図１２および１３において最もよく見られるように、第１ハウジング部材５２は、一般にベース区域５６および一般的な管状区域５８を有する。ベース区域５６は、一般に、開いた開口６２、スナップロック棚６４、および中央スプリング空洞６６を有する延長部６０を有する。一般的な管状区域５８は、スプリング空洞６６の周りのベース区域５６のトップ側から上方方向に延びている。一般的な管状区域５８は、一般的に２つの対向する曲がった柱６８を有する。２つの柱６８は、その間に磁石移動通路を画定した。より具体的には、２つの柱６８は、さらに以下に記述されるように、一層のものとして磁石を収容する第２ハウジング部材５４を受けるようにされる領域７０を画定する。図示された実施例においては、柱６８のそれぞれは、その中に整列スロット７２を有している。この整列スロット７２は、さらに以下に記述するように、第２ハウジング部材５４に第１ハウジング部材５２を移動可能に取付けるために使用される。整列スロット７２のトップ側は、柱の横断区域７４によって閉塞される。
【００３７】
特に図１３および１４を参照して、ホール効果センサ４６は、少なくとも部分的に、第１ハウジング部材５２内に収容される。したがって、第１ハウジング部材５２、およびホール効果センサ４６は、第１半組立体８２を形成する。この発明の好ましい実施例においては、第１ハウジング部材５２は、ホール効果センサ４６の部分上に重ね成型される重ね成型されたハウジングを有する。ホール効果センサ４６は、一般に、感知区域７６および３本の電気リード７８を有する。１つのリードは、電力用であり、１つのリードは、接地用であり、さらに、１つのリードは、信号用である。好ましい実施例においては、ホール効果センサ４６は、センサ４６に関する磁石の距離の連続信号方式を可能とする範囲のセンサである。しかしながら、代りの実施例においては、ホール効果センサは、ステップ可能なセンサを使用することによるように、２つ以上の範囲設定を合図するようにされることができる。
【００３８】
３本の電気リード７８は、第１ハウジング部材５２における延長部６０の開いた開口６２を横切って差渡され、さらに、より具体的には、電気リード７８は、そのうえに重ね成型されたハウジング部材５２を有さない露出した中間区域を有する。電気リード７８は、重ね成型工程によって第１ハウジング部材５２に固定して取付けられている遠方端８０を有する。電気リード７８の近位端は、さらに重ね成型工程によって、第１ハウジング部材に固定して取付けられている。したがって、第１ハウジング部材５２は、相互に関して、固定され、かつ離間して配置された方向に、さらには重ね成型されたハウジング部材５２に関して固定した方向に、電気リードの露出した中間区域を保持する。
【００３９】
特に図１５および１６を参照して、第２ハウジング部材５４は、一般に、好ましくは、成型プラスチックまたはポリマー材料で構成された一体部材を有する。第２ハウジング部材５４は、一般に、管状形押出区域８４の底部を形成する、管状形押出区域８４、トップ区域８６、およびスナップロックラッチ８８を有する。磁石４８は、トップ区域８６の底部側に対する管状形押出区域８４の内部に配置される。磁石８４は、好ましくは第２ハウジング部材内に挿入されたプレス嵌めされる。したがって、第２ハウジング部材５４および磁石４８は、第２半組立体９０を形成する。
【００４０】
図１０において見られるように、スプリング５０は、２つの半組立体８２、９０の間で接続される。スプリング５０の第１端は、第１ハウジング部材５２（図１２参照）のスプリング空洞６６内に配置され、さらに、スプリングの第２対向端は、第２ハウジング部材５４の管状形押出区域８４の内部に配置される。スプリング５０の第２対向端は、磁石４８の底部側に対して直接配置される。スプリング５０は、図１０に示されるように上方方向に第２半組立体９０を偏倚する。好ましい実施例において、スプリングは、磁界を発生しないような非鉄金属材料で構成される。
【００４１】
２つの半組立体８２、９０およびスプリング５０を一緒に組み立てるために、スプリングは、スプリング空洞６６内に配置され、さらに、第２半組立体９０は、２つの柱６８間の領域７０内に入って、第２ハウジング５４の底部で矢印９２によって表示されるように第１半組立体８２のトップ内に挿入される。領域７０は、その中に第２ハウジング部材５４を摺動可能に受けるように、寸法採りし、かつ形作られる。第２ハウジング部材５４は、領域７０内に挿入されるので、スナップロックラッチ８８は、ラッチが柱６８の横断区域７４を通り過ぎるまで、内方方向に弾力的に反らされる。スナップロックラッチ８８は、その後、外方に、さらに２つの整列スロット７２内に反らすことができる。このことは、第１ハウジング部材５２に対する第２ハウジング部材５４のスナップロック接続を提供する。
【００４２】
スナップロック接続は、単に、第２半組立体９０が、第１半組立体８２から離脱するようになるのを防ぐ。しかしながら、２つの半組立体８２、９０の接続は、相互に移動可能な接続を提供する。より具体的には、スナップロックラッチ８８の外部の部分は、整列スロット７２内において垂直に摺動するようにされる。また図１７を参照して、ホール効果センサ組立体２６は、図１０において示されるそれと同一に示されるが、しかし、第２半組立体９０は、この構成において、内方方向における矢印９２によって表示されるように、さらに領域７０内へ押圧される。このことは、スプリング５０が、弾力的に圧縮し、かつ、磁石４８が、ホール効果センサ４６により接近して移動することに帰着する。力が、第２半組立体９０のトップ表面上で減少するときに、スプリング５０は、第２半組立体および磁石４８を、ホール効果センサ４６から離れる方向に移動することができる。この発明によって、２つのハウジング部材５２、５４の間の移動可能な接続は、磁石が、ホール効果中央感知軸４７（図１３参照）に沿うホール効果センサ４６に対して、および、それから離れて移動することを可能にする望遠鏡タイプの移動を提供する。移動可能な接続は、磁石４８が、１０度以上ホール効果センサ４６との平行から外れるのを防ぐことを意図している。好ましい実施例において、磁石は、単に５−１０度だけ整列から傾くか、または移動させることができる。
【００４３】
図１１および１４Ｆにおいて最もよく見られるように、着座センサ装置２０は、電気端子９４を有する。より具体的には、示された実施例において、３つの端子９４は、センサ組立体２６のそれぞれで、ホール効果センサ４６の電気リード７８のそれぞれについて、１つの端子を提供される。さらに図１８−２０を参照して、端子９４のうちの１つが示されている。それぞれの端子９４は、一般に一体の電気伝導性の部材を有する。好ましい実施例において、端子９４は、示された形状に型押しされた平坦シートメタルから構成される。端子９４は、一般に、中央区域９６、底部延長区域９８、トップ延長区域１００、および上方延長側区域１０２を有する。
【００４４】
端子９４は、センサ組立体２６が接続される前にＦＰＣマット２２に固定して取付けられている。より具体的には、端子９４は、マットを介して貫通し、さらにマットにおける電気導体３２の個々のものとの機械的および電気的な接続を形成するために、外方に、および上方に、歪んだ底部延長区域９８によって、ＦＰＣマット２２のトップ表面に対して押圧される。センサ組立体２６が、ＦＰＣマット２２およびフレーム２４のスナップロックラッチ３４に接続されているときは、端子９４は、第１ハウジング部材５２の底部を介して、延長部６０の開いた開口６２内に受けられる。ホール効果センサ４６の電気リード７８は、それぞれ、端子のうちの１つの側区域１０２間の領域１０４内に配置される。
【００４５】
側区域１０２は、その後、領域１０４に対して内方に変形されて、中央区域９６のトップ側に対するトップ延長区域１００および側区域１０２によって機械的な、および電気的な接続に電気リード７８の中央露出区域を留める。電気リード７８が、電気絶縁を有する場合は、トップ延長区域１００における比較的に鋭敏なエッジが、電気絶縁を切り離して、端子９４と電気リード７８の電気導体との間の電気接触を確実にするようにされる。しかしながら、代りの実施例においては、任意の適切なタイプの端子、または、ＦＰＣマット２２の電気導体３２に電気リード７８を電気的に接続する方法を提供することができる。しかしながら、図示された実施例においては、端子９４は、側区域１０２が、センサ組立体２６が端子との接続から取り除かれることを可能にするために、再び開放位置に移動されることを可能にするようにされる。置き換えセンサ組立体は、故障したか、または欠陥のあるオリジナルのセンサ組立体２６を交換するために、ＦＰＣマットに接続することができる。したがって、好ましい実施例において、ＦＰＣマットにおける導体に対するセンサ組立体２６の電気接続は、好ましくは、取外し可能な接続である。代りの実施例において、電気接続は、取外し可能な接続を有しないことができる。
【００４６】
図１０を振り返って参照して、センサ組立体２６は、対向する対のスナップロックラッチ３４のトップ側を介してベース区域５６を挿入することによって、フレーム２４に取付けられている。第１ハウジング部材５２のスナップロック棚６４（図１２参照）は、スナップロックラッチ３４の部分の下にスナップする。この発明は、従来の設計と異なり、ＦＰＣマットにフレームを取付けるために個別のロックを必要としない。この発明によって、第１ハウジング部材５２は、フレーム２４にＦＰＣマットを取付けるために、ロックとして機能する。ロックとしての第１ハウジング部材５２の使用は、着座センサ装置２０がより少ない部品で製造されることを可能にする。着座センサ装置２０の組立体は、より少ないステップを有し、したがって、組み立てるのにより速い。
【００４７】
例証された実施例に関して記述された実施例は、例証によって示され、さらに、したがって、この発明は、開示された実施例に制限されることを意図されない。さらに、上述された実施例のそれぞれの構造および特徴は、もし他の方法で示されなかったならば、ここに記述された他の実施例に適用することができる。したがって、技術に熟練している人々は、例えば、この発明が追加された請求項によって述べられたように、発明の精神および範囲内に含まれる修正および代替配置をすべて包含するように意図されることを理解できる。
【図１】
2013016471.tif 000003
【図２Ａ】
2013016471.tif 000004
【図２Ｂ】
2013016471.tif 000005
【図２Ｃ】
2013016471.tif 000006
【図３Ａ】
2013016471.tif 000007
【図３Ｂ】
2013016471.tif 000008
【図３Ｃ】
2013016471.tif 000009
【図３Ｄ】
2013016471.tif 000010
【図３Ｅ】
2013016471.tif 000011
【図４Ａ】
2013016471.tif 000012
【図４Ｂ】
2013016471.tif 000013
【図４Ｃ】
2013016471.tif 000014
【図５Ａ】
2013016471.tif 000015
【図５Ｂ】
2013016471.tif 000016
【図６Ａ】
2013016471.tif 000017
【図６Ｂ】
2013016471.tif 000018
【図６Ｃ】
2013016471.tif 000019
【図７】
2013016471.tif 000020
【図８】
2013016471.tif 000021
【図９】
2013016471.tif 000022
【図１０】
2013016471.tif 000023
【図１１】
2013016471.tif 000024
【図１２】
2013016471.tif 000025
【図１３】
2013016471.tif 000026
【図１４】
2013016471.tif 000027
【図１５】
2013016471.tif 000028
【図１６】
2013016471.tif 000029
【図１７】
2013016471.tif 000030
【図１８】
2013016471.tif 000031
【図１９】
2013016471.tif 000032
【図２０】
2013016471.tif 000033
【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
フレックスケーブルに設置するように構成された電気コネクタであって、この電気コネクタは：
誘電性のコネクタハウジングであって；
このコネクタハウジングによって支持される少なくとも１つの電気端子であって、この少なくとも１つの電気端子は、結合する部分と設置する部分とを画定し、この設置する部分は、少なくとも１つの電気端子の長さに沿って相互から間隔を置く第１および第２圧着部材を有し、この第１および第２圧着部材のそれぞれは、設置する部分にフレックスケーブルを設置するように圧着するときに、フレックスケーブルを介して貫通するように構成された複数の圧着歯を有し、少なくとも１つの電気端子の第１および第２圧着部材のうちの一方は、第１および第２圧着部材のうちの他方とは異なる数の圧着歯を有する電気コネクタ。
【請求項２】
第１圧着部材の圧着歯は、第１周囲の周りに配置され、さらに、第２圧着部材の圧着歯は、第１周囲と異なる第２周囲の周りに配置される請求項１記載の電気コネクタ。
【請求項３】
第２周囲は、第１周囲と不連続である請求項２記載の電気コネクタ。
【請求項４】
第１および第２周囲は、設置する部分を介して延びるそれぞれの異なる開口の周りに配置される請求項２記載の電気コネクタ。
【請求項５】
第１および第２圧着部材の外方のものは、第１および第２電気端子の選択した複数の第１および第２圧着部材の内方のものより少数の歯を有する請求項１記載の電気コネクタ。
【請求項６】
第１および第２圧着部材の外方のものは、第１および第２圧着部材の内方のものから後方に間隔を置かれる請求項５記載の電気コネクタ。
【請求項７】
少なくとも１つの電気端子は、第１電気端子であり、電気コネクタは、さらに、コネクタハウジングによって支持された第２電気端子を有し、かつ、第２電気端子は、結合する部分および設置する部分を画定し、この設置する部分は、少なくとも１つの電気端子の長さに沿って相互から間隔を置かれる第１および第２圧着部材を有し、第１および第２圧着部材のそれぞれは、設置する部分にフレックスケーブルを設置するように圧着されたときに、フレックスケーブルを介して貫通するように構成される複数の圧着歯を有する請求項１記載の電気コネクタ。
【請求項８】
第２電気端子の第１および第２圧着部材は、等しい数の圧着歯を有する請求項７記載の電気コネクタ。
【請求項９】
第１および第２電気端子は、長手方向に沿うコネクタハウジングに沿って交互に配置される請求項７記載の電気コネクタ。
【請求項１０】
第１電気端子の第１圧着部材は、長手方向に沿う第２電気端子の第１圧着部材と整列されず、かつ、第１電気端子の第１圧着部材は、長手方向に沿う第２電気端子の第２圧着部材と整列されない請求項７記載の電気コネクタ。
【請求項１１】
電気コネクタであって：
誘電性のコネクタハウジングであって；
このコネクタハウジングによって支持された少なくとも１つの第１電気端子、および
長手方向に沿って少なくとも１つの第１電気端子から空間を隔てた位置にコネクタハウジングによって支持された少なくとも１つの第２電気端子であって、それぞれの第１および第２電気端子は、長手方向に対してほぼ垂直である横断方向に沿って結合する部分から空間を隔てたそれぞれの結合する部分および設置する部分を画定し、その設置する部分は、長手方向および横断方向に対してほぼ垂直である横方向に沿って相互から空間を隔てた第１および第２圧着部材を有し、この第１および第２圧着部材のそれぞれは、電気端子の設置する部分にフレックスケーブルを設置するように圧着するときに、フレックスケーブルを介して貫通するように構成された複数の圧着歯を有し、前記第１電気端子の圧着部材は、横方向に沿って、第２電気端子の圧着部材に関して、偏倚される電気コネクタ。
【請求項１２】
第１圧着部材の圧着歯は、それぞれの第１周囲の周りに配置され、かつ、第２圧着部材の圧着歯は、第１周囲と異なるそれぞれの第２周囲の周りに配置される請求項１１記載の電気コネクタ。
【請求項１３】
第２周囲は、第１周囲と不連続である請求項１２記載の電気コネクタ。
【請求項１４】
第１および第２周囲は、それぞれの設置する部分を介して延びる、それぞれの異なる開口の周りに配置される請求項１２記載の電気コネクタ。
【請求項１５】
結合する部分および設置する部分を有する電気端子であって、その設置する部分は、電気端子の長さに沿って、相互から間隔をもって配置された第１および第２圧着部材を有し、第１および第２圧着部材のそれぞれは、設置する部分にフレックスケーブルを設置するように圧着したときに、フレックスケーブルを介して貫通するように構成された複数の圧着歯を有し、第１および第２圧着部材のうちの１つは、第１および第２圧着部材の他とは異なる数の圧着歯を有する電気端子。
【請求項１６】
第１圧着部材の圧着歯は、第１周囲の周りに配置され、かつ、第２圧着部材の圧着歯は、第１周囲と異なる第２周囲の周りに配置される請求項１５記載の電気端子。
【請求項１７】
第２周囲は、第１周囲とは不連続である請求項１６記載の電気端子。
【請求項１８】
第１および第２周囲は、設置する部分を介して延びるそれぞれの異なる開口の周りに配置される請求項１６記載の電気端子。
【請求項１９】
第１および第２圧着部材の外方のものは、第１および第２電気端子の選択した複数の第１および第２圧着部材の内方のものより少数の歯を有する請求項１５記載の電気端子。
【手続補正２】
【補正対象書類名】明細書
【補正対象項目名】０００７
【補正方法】変更
【補正の内容】
【０００７】
【図１】電気コネクタ、および、この電気コネクタに電気的に接続されたフレキシブルプリント回路を有し、その電気コネクタは、コネクタハウジング、および、このコネクタハウジングによって支持された複数の電気端子を有する１つの実施例にしたがって構成された電気コネクタ組立体の斜視図である；
【図２Ａ】図１に例証されるようなコネクタハウジングの斜視図である；
【図２Ｂ】図２Ａに例証されるようなコネクタハウジングの他の斜視図である；
【図２Ｃ】図２Ｂに類似しているコネクタハウジングの斜視図であるが、他の実施例にしたがうリブを示している；
【図３Ａ】１つの実施例にしたがってフレキシブルプリント回路に設置されるように構成された第１方向に電気端子を示して、コネクタハウジングおよび電気的ハウジングによって支持された電気端子を有する図１Ａに例証された電気コネクタの斜視図である；
【図３Ｂ】図２Ａに例証された電気コネクタの他の斜視図である；
【図３Ｃ】図３Ａに例証された電気コネクタの平面図である；
【図３Ｄ】図３Ａに例証されたが、第１方向とは異なる第２方向に電気端子を示す電気コネクタの斜視図であって、フレキシブルプリント回路に設置されるように構成される；
【図３Ｅ】図３Ｄに例証された電気コネクタ組立体の側面図であって、フレキシブルプリント回路に設置されて示される；
【図４Ａ】図２Ａに例証されたコネクタハウジングによって支持されるような１対の電気端子の斜視図である；
【図４Ｂ】図４Ａに例証された１対の電気端子の他の斜視図である；
【図４Ｃ】図４Ａに例証された１対の電気端子の他の側面図である；
【図５Ａ】図２Ａに例証された電気コネクタの斜視図であって、異なる数の圧縮歯を備えた圧縮部材を有する電気端子のうちの１つを示す；
【図５Ｂ】図５Ａに例証された電気コネクタの平面図である；
【図６Ａ】図５Ａに例証された電気コネクタの電気端子のうちの１つの斜視図である；
【図６Ｂ】図６Ａに例証された電気端子の他の斜視図である；
【図６Ｃ】図６Ａに例証された電気端子の平面図である；
【図７】図１に例証された電気コネクタ組立体を有する安全拘束システムを有する車両の一部分の概略図である；
【図８】図７に示される車両安全拘束システムにおいて使用される着座センサ装置の平面図である；
【図９】図８に示される着座センサ装置の一部分の底面図である；
【図１０】単に明瞭さのためにフレキシブルプリント回路を示すことなしに、図８に示される着座センサ装置の一部分の拡大斜視図である；
【図１１】フレキシブルプリント回路マット、フレーム、およびホール効果センサ組立体の接続に先立つ３つの端子の部分的な平面図である；
【図１２】図１０に示されるセンサ組立の第１ハウジング部材の斜視図である；
【図１３】図１２に示される第１ハウジング部材およびホール効果センサを有する図１０に示されるセンサ組立体の第１半組立体の断面図である；
【図１４】切欠断面を備えた図１３に示される第１半組立体の斜視図である；
【図１５】図１０に示されるセンサ組立体に使用される第２ハウジング部材の斜視図である；
【図１６】図１５に示される第２ハウジング部材および永久磁石を有する図１０に示されるセンサ組立体に使用される第２半組立体の断面図である；
【図１７】押圧された位置に向かって移動した第２半組立体を備えた図１０におけるような斜視図である；
【図１８】フレキシブルプリント回路マットに図１０に示されるセンサ組立を接続するために使用される端子のうちの１つの平面図である；
【図１９】図１８に示される端子の側面図であり；
【図２０】線２０−２０に沿って得られた図１９に示される端子の断面図である。
【手続補正３】
【補正対象書類名】明細書
【補正対象項目名】０００９
【補正方法】変更
【補正の内容】
【０００９】
対向した側面２１４は、第１の、または長手方向Ｌに沿って離れて間隔を置かれ、前方および後方端部２１０および２１２は、第２の、または長手方向Ｌに関してほぼ垂直である、第２の、または横方向Ａに沿って離れて間隔を置かれ、さらに、トップ端部および底部端部２０６および２０８は、または横方向Ａおよび長手方向Ｌに関してほぼ垂直である第３の、または横断方向Ｔに沿って離れて間隔を置かれる。例証された実施例にしたがって、横断方向Ｔは、垂直に方向付けられ、さらに、電気コネクタ２０２の方向付けが、使用の間に変わることができることは、認識されるべきであるが、長手方向および横方向ＬおよびＡは、水平に方向付けられる。例証された実施例にしたがって、コネクタハウジング２０４は、長手方向に延びるように、例証される。
【手続補正４】
【補正対象書類名】明細書
【補正対象項目名】００１０
【補正方法】変更
【補正の内容】
【００１０】
コネクタハウジング２０４が、望まれるような任意の適切な実施例にしたがって構成することができることは認識されるべきである。例えば、図２Ｂに例証されるように、コネクタハウジング２０４の底端部２０８は、ほぼ平坦で、かつ、長手方向Ｌおよび横方向Ａによって画定される平面内にある。代りに、図２Ｃに例証されるように、コネクタハウジング２０４の底端部２０８は、長手方向Ｌに沿って相互から一定間隔で配置され、かつ、隣接した凹部２０５によって相互から分離されるリブ２０３を画定することができる。交互のリブ２０３および凹部２０５は、コネクタハウジング２０４の前方端部２１０からコネクタハウジング２０４の後方端部２１２まで横方向に沿って延びることができる。さらに、図２Ａ−Ｂに例証されるように、リブ２０３および凹部２０５は、コネクタハウジング２０４の前方端部２１０の少なくとも一部分、または全部に沿って延びることができる。コネクタハウジング２０４の前方端部２１０の凹部２０５は、コネクタハウジング２０４に設置される電気端子２２０の一部分を受けるように、形作られ、寸法どりされる。代りに、コネクタハウジングの前方端部２１０は、図３Ａ−Ｅに例証されるように、ほぼ滑らかであることができる。
【手続補正５】
【補正対象書類名】明細書
【補正対象項目名】００２３
【補正方法】変更
【補正の内容】
【００２３】
例証された実施例にしたがって、第１電気端子２２０ａのそれぞれの第１圧着部材２６７ａは、第２電気端子２２０ｂの第１および第２圧着部材２６７ａおよび２６７ｂに関して横方向Ａに沿って偏倚される。したがって、第１電気端子２２０ａのそれぞれの第１圧着部材２６７ａは、第２電気端子２２０ｂのそれぞれの第１圧着部材２６７ａと、長手方向Ｌに沿って整列されず、かつ、第１電気端子２２０ａのそれぞれの第１圧着部材２６７ａは、第２電気端子２２０ｂのそれぞれの第２圧着部材２６７ｂと、長手方向に沿って整列されない。したがって、長手方向Ｌに沿って延び、かつ、第１電気端子２２０ａの第１圧着部材２６７ａの中心を通過する直線は、第２電気端子２２０ｂの第２圧着部材２６７ａおよび２６７ｂのいずれか一方または両方の中心を通過しない。同様に、第１電気端子２２０ａのそれぞれの第２圧着部材２６７ｂは、横方向Ａに沿った第２電気端子２２０ｂのそれぞれの第１および第２圧着部材２６７ａおよび２６７ｂに関して、偏倚される。したがって、長手方向Ｌ内に延び、かつ、第１電気端子２２０ａの第２圧着部材２６７ｂの中心を通過する直線は、第２電気端子２２０ｂの第２第２圧着部材２６７ａおよび２６７ｂのいずれか一方、または両方の中心を通過しない。
【手続補正６】
【補正対象書類名】明細書
【補正対象項目名】００２８
【補正方法】変更
【補正の内容】
【００２８】
今度は、図５Ａ−６Ｃを参照して、認識されるべきことは、第１および第２電気端子２２０ａおよび２２０ｂのうちの、すべてまでの複数のように、選択される少なくとも１つの、第１および第２圧着部材２６７ａおよび２６７ｂの一方は、第１および第２圧着部材２６７ａおよび２６７ｂの他方とは異なる数の圧着歯２６８を有することができる。例えば、例証された実施例にしたがって、第２電気端子２２０ｂの第２圧着部材２６７ｂは、第２電気端子２２０ｂの第１圧着部材２６７ａの圧着歯２６８の数に関して、より少数の、またはより多い歯２６８のように、異なる数を有することができる。さらに、第１電気端子２２０ａの第１および第２圧着部材２６７ａおよび２６７ｂのうちの一方は、第１電気端子２２０ａの第１および第２圧着部材２６７ａおよび２６７ｂの他方として歯の同数を有することができる。第１電気端子２２０ａの第１および第２圧着部材２６７ａおよび２６７ｂは、第２電気端子２２０ｂの第２圧着部材２６７ｂと同数の歯を、または異なる数の歯を有することができる。
【手続補正７】
【補正対象書類名】明細書
【補正対象項目名】００２９
【補正方法】変更
【補正の内容】
【００２９】
例証された実施例にしたがって、第２電気端子２２０ｂのそれぞれの第１圧着部材２６７ａは、４つの圧着歯２６８を有し、かつ、第２電気端子２２０ｂのそれぞれの第２圧着部材２６７ｂは、３つの圧着歯２６８を有し、さらに、圧着歯の数が異なることができることは認識されるべきであるが、第１電気端子２２０ａの第１および第２圧着部材２６７ａおよび２６７ｂは、それぞれ、４つの圧着歯２６８を有する。したがって、１つの実施例にしたがって、電気端子２２０と平坦フレックスケーブル２２との間の電気的なインターフェース用の負荷軽減を提供する圧着部材２６７は、平坦フレックスケーブル２２の電気的な跡と電気的接触にある圧着部材２６７より少数の歯数を画定することができる。代りに、電気端子２２０と平坦フレックスケーブル２２との間の電気的なインターフェースの負荷軽減を提供する圧着部材２６７は、平坦フレックスケーブル２２の電気的な跡と電気接触を確立する圧着部材２６７より大きな数の歯を定義することができる。認識されるべきことは、圧着部材のうちの一方が、また圧着部材の他方用の負荷軽減を提供する間に、両方の圧着部材２６７が、平坦フレックスケーブル２２の電気的な跡をと電気接触を確立することができることである。さらに、例証された実施例にしたがって、第２圧着部材２６７ｂの圧着歯２６８は、開口２７０について相互から可変に間隔を置かれるように講成することができる。例えば、第２圧着部材２６７ｂの圧着歯２６８は、長手方向に沿って相互から一定間隔で配置される１対の圧着歯２６８を、さらには、対の圧着歯２６８の１つの間に配置されるギャップ２７１から横方向に沿って前方に間隔を置かれる圧着歯２６８のうちの１つ画定する。
【手続補正８】
【補正対象書類名】明細書
【補正対象項目名】００３９
【補正方法】変更
【補正の内容】
【００３９】
特に図１５および１６を参照して、第２ハウジング部材５４は、一般に、好ましくは、成型プラスチックまたはポリマー材料で構成された一体部材を有する。第２ハウジング部材５４は、一般に、管状形押出区域８４の底部を形成する、管状形押出区域８４、トップ区域８６、およびスナップロックラッチ８８を有する。磁石４８は、トップ区域８６の底部側に対する管状形押出区域８４の内部に配置される。磁石４８は、好ましくは第２ハウジング部材内に挿入されたプレス嵌めされる。したがって、第２ハウジング部材５４および磁石４８は、第２半組立体９０を形成する。
【手続補正９】
【補正対象書類名】明細書
【補正対象項目名】００４１
【補正方法】変更
【補正の内容】
【００４１】
２つの半組立体８２、９０およびスプリング５０を一緒に組み立てるために、スプリングは、スプリング空洞６６内に配置され、さらに、第２半組立体９０は、２つの柱６８間の領域７０内に入って、第２ハウジング部材５４の底部で矢印９２によって表示されるように第１半組立体８２のトップ内に挿入される。領域７０は、その中に第２ハウジング部材５４を摺動可能に受けるように、寸法採りし、かつ形作られる。第２ハウジング部材５４は、領域７０内に挿入されるので、スナップロックラッチ８８は、ラッチが柱６８の横断区域７４を通り過ぎるまで、内方方向に弾力的に反らされる。スナップロックラッチ８８は、その後、外方に、さらに２つの整列スロット７２内に反らすことができる。このことは、第１ハウジング部材５２に対する第２ハウジング部材５４のスナップロック接続を提供する。
【手続補正１０】
【補正対象書類名】明細書
【補正対象項目名】００４３
【補正方法】変更
【補正の内容】
【００４３】
図１１および１４において最もよく見られるように、着座センサ装置２０は、電気端子９４を有する。より具体的には、示された実施例において、３つの端子９４は、センサ組立体２６のそれぞれで、ホール効果センサ４６の電気リード７８のそれぞれについて、１つの端子を提供される。さらに図１８−２０を参照して、端子９４のうちの１つが示されている。それぞれの端子９４は、一般に一体の電気伝導性の部材を有する。好ましい実施例において、端子９４は、示された形状に型押しされた平坦シートメタルから構成される。端子９４は、一般に、中央区域９６、底部延長区域９８、トップ延長区域１００、および上方延長側区域１０２を有する。
【外国語明細書】
2013016471000001.pdf